(57)【要約】      （修正有）【課題】操作が簡単で、且つ虫歯や歯垢状態が同時に大面積で検出可能な歯検査装置を提供する。【解決手段】歯検査装置１０は、操作本体１０１と、フィルタ１０２と、光源モジュール１０３と、電源スイッチ１０４と、光源制御スイッチ１０５とからなる。操作本体１０１は、使用者が手で握る設計を有し、虫歯や歯垢状態を検出することができる。フィルタ１０２は、波長５２０ｎｍ以下の紫外線を濾過することにより、人間の目が裸眼視力で虫歯や歯垢状態を観察することができる。光源モジュール１０３は、蛍光灯、ＬＥＤ、レーザーＬＥＤのいずれでもよいが、光波長３８０ｎｍ〜４５０ｎｍの検査光（例えば紫外線）を生成する。電源スイッチ１０４は、歯検査装置１０のオン−オフを機能する。光源制御スイッチ１０５は、単一または複数の光源モジュール１０３の作動を制御する。【選択図】図１
0003200961.tif 000002
【実用新案登録請求の範囲】
【請求項１】
口の中での虫歯または歯垢状態を検出する歯検査装置であって、
一端部に開口部が成形され、当該開口部に隣接する周縁に出光部を成形してあり、また、その他の端部に第１収納空間を成形してある操作本体と、
当該開口部に実装してあるフィルタと、
当該出光部の中に実装され、検査光を生成して当該出光部から当該虫歯の表面に前記検査光を照射する光源モジュールと、
当該第１収納空間に収納され、当該光源モジュールと電気的に接続される第１蓄電モジュールとを具備してあることを特徴とする歯検査装置。
【請求項２】
前記出光部の数は、複数であることを特徴とする請求項１に記載の歯検査装置。
【請求項３】
前記光源モジュールの数は複数であり、前記光源モジュールがそれぞれの前記出光部に実装されることを特徴とする請求項２に記載の歯検査装置。
【請求項４】
前記操作本体が電源スイッチを有し、当該電源スイッチが前記第１蓄電モジュールに電気的に接続されることを特徴とする請求項１ないし３のいずれかに記載の歯検査装置。
【請求項５】
前記操作本体は、光源制御スイッチを有し、
当該光源制御スイッチは、前記電源スイッチと前記光源モジュールのそれぞれと電気的に接続されることにより、前記光源モジュールを制御することを特徴とする請求項４に記載の歯検査装置。
【請求項６】
口の中での虫歯または歯垢状態を検出する歯検査装置であって、当該歯検査装置は、
一端部に開口部が成形され、当該開口部に隣接する周縁に出光部を成形してあり、また、その他の端部に第１収納空間を成形してある操作本体と、
当該開口部に実装してあるフィルタと、
当該出光部の中に実装され、検査光を生成して、更に当該出光部から当該虫歯の表面に前記検査光を照射する光源モジュールと、
当該第１収納空間に収納され、当該光源モジュールと電気的に接続される第１蓄電モジュールと、
当該第１収納空間に実装され、前記光源モジュールと電気的に接続される第１無線充電モジュールと、
第２無線充電モジュールを有する無線充電ドックと、を備えてあり、
当該第２無線充電モジュールは、当該第１無線充電モジュールに対して電磁波を発射し、当該第１無線充電モジュールが当該第２無線充電モジュールの前記電磁波と励磁効果で電気エネルギーを発生し、さらに当該電気エネルギーを当該第１蓄電モジュールに貯蓄することを特徴とする歯検査装置。
【請求項７】
前記無線充電ドックは、位置決め部を具備し、
当該操作本体の当該開口部は、前記操作本体が前記無線充電ドックの上に置かれるように、前記無線充電ドックの当該位置決め部に実装されることを特徴とする請求項６に記載の歯検査装置。
【請求項８】
前記第１無線充電モジュールは、充電制御ユニットと受信コイルとを有し、
当該充電制御ユニットは、前記第１蓄電モジュールと前記受信コイルのそれぞれと電気的に接続されることを特徴とする請求項６または７に記載の歯検査装置。
【請求項９】
前記第２無線充電モジュールは、電力供給ユニットと、第２蓄電モジュールと、発射コイルとを備え、
当該電力供給ユニットは、当該第２蓄電モジュールと当該発射コイルのそれぞれと電気的に接続されることを特徴とする請求項６ないし８のいずれかに記載の歯検査装置。
【請求項１０】
前記無線充電ドックの一端部に、電気接続部を具備し、
当該電気接続部は、受け取った当該電気エネルギーを当該第２蓄電モジュールに貯蓄するように、当該第２蓄電モジュールと電気的に接続されることを特徴とする請求項９に記載の歯検査装置。
【考案の詳細な説明】
【技術分野】
【０００１】
本考案は、口の中の虫歯または歯垢状態の検出に用いられる歯検査装置に関する。
【背景技術】
【０００２】
白くて健康な歯は、人々が喜ぶ気分にさせる。歯は手入れを良く入れないことで虫歯が生じ、後で一連の虫歯治療を開始しなければならない。従って、デンタルケアは、重要な毎日の事項となっている。歯科医師は虫歯を検出するとき、歯検査装置で、歯の表面に紫外線照射により、虫歯に残留した歯垢及び歯石沈殿物で蛍光が生成する。この場合、人間の目で蛍光と紫外線反射光を同時に受けるため、視覚で検出するとき、必ずフィルタを使用して蛍光しかフィルタを通らないように、不要な紫外線を取り除く。これにより、人間の目はフィルタを通って虫歯の状況を観察することができる。相関の従来技術は次のようにある。
【先行技術文献】
【特許文献】
【０００３】
【特許文献１】TW200829217     パーソナルケア製品及び方法
【特許文献２】TW200950721     ムラサキ可視光線を発光する充電式歯ブラシ
【特許文献３】CN101528116A    虫歯の検出に用いる装置
【特許文献４】CN202168867U    LED多機能型光固化装置
【特許文献５】US4112335       Rapid pulse ultraviolet light apparatus
【特許文献６】US4450139       Light generating apparatus for curing dental restorative composites
【０００４】
前記の特許文献から分かるように、先行技術の歯検査装置は、紫外線照射範囲が狭いので、歯科医者は、歯の検査をパーティションで（分割して）行わなければならない。従って、検査にかかる時間は大幅に増加する。
【考案の概要】
【考案が解決しようとする課題】
【０００５】
そこで、本考案の主な目的は、操作が簡単で、且つ虫歯や歯垢状態が同時に大面積で検出可能な歯検査装置を提供することにある。
【課題を解決するための手段】
【０００６】
上記の目的を実現するために、本考案の歯検査装置は、操作本体と、フィルタと、光源モジュールと、光源制御スイッチとからなる。歯科医者は手で操作本体を握って、操作本体から生成する検査光を患者の歯の表面に照射することにより、歯科医者が視覚でフィルタを通して、虫歯や歯垢状態を口の外部から直接観察することができる。本考案は、検出範囲が広く、効果的に検査の全体作業時間を短縮化し、普通の家庭にも常備することが出来るという利点がある。
【考案の効果】
【０００７】
本考案の歯検査装置によれば、使用者が手で操作本体を握って、更に検査光を発生させて、患者の口部の歯の表面に照射することにより、使用者が余分な補助装置を着用せずに、操作本体で口の中の虫歯や歯垢状態を直接肉眼で検出することができる。
【図面の簡単な説明】
【０００８】
本考案の目的、技術特徴、及び実施後の効果を一層理解するために、以下の図面を参照してより詳しく説明する。
【図１】図１は、本考案の斜視概略図である。
【図２】図２は、本考案の構成概略図である。
【図３】図３は、本考案の実施の概略図（一）である。
【図４】図４は、本考案の実施の概略図（二）である。
【図５】図５は、本考案の別の実施例である。
【図６】図６は、本考案の別の実施例の実施の概略図（一）である。
【図７】図７は、本考案の別の実施例の実施の概略図（二）である。
【図８】図８は、本考案の別の実施例の実施の概略図（三）である。
【考案を実施するための形態】
【０００９】
以下、図面を用いて本考案の歯検査装置をより詳しく説明する。図１は、本考案の斜視概略図である；図２は、本考案の構成概略図である；図３は、本考案の実施の概略図（一）である；図４は、本考案の実施の概略図（二）である；図５は、本考案の別の実施例である；図６は、本考案の別の実施例の実施の概略図（一）である；図７は、本考案の別の実施例の実施の概略図（二）である；図８は、本考案の別の実施例の実施の概略図（三）である。
【００１０】
図１に示すように、本考案の歯検査装置１０は、操作本体１０１と、フィルタ１０２と、光源モジュール１０３と、電源スイッチ１０４と、光源制御スイッチ１０５とからなる。操作本体１０１は、使用者が手で握る設計を有し、虫歯や歯垢状態を検出することができる。フィルタ１０２は、波長５２０ｎｍ以下の紫外線を濾過することにより、人間の目が裸眼視力で虫歯や歯垢状態を観察することができる。光源モジュール１０３は、蛍光灯、LED、レーザーLEDのいずれでもよいが、光波長３８０ｎｍ〜４５０ｎｍの検査光（例えば紫外線）を生成する。電源スイッチ１０４は、歯検査装置１０のオン−オフを機能する。光源制御スイッチ１０５は、単一または複数の光源モジュール１０３の作動を制御する。
【００１１】
図２を参照すれば、操作本体１０１は、開放状の開口部１０１１を成形してあり、開口部１０１１に隣接する周囲に溝状のような出光部１０１２を成形してある。組立の時、フィルタ１０２は開口部１０１１のその一側部に設置され、光源モジュール１０３は出光部１０１２の内部に組み込まれ、電源スイッチ１０４と光源制御スイッチ１０５はそれぞれ操作本体１０１に固定される。また、光源モジュール１０３は、スイッチ１０４及び光源制御スイッチ１０５のそれぞれと電気的に接続される。操作本体１０１の一端部（一側部）に第１収納空間１０１３を成形してあり、第１蓄電モジュール１０６がこの第１収納空間１０１３に組み込まれ、かつ光源モジュール１０３及び電源スイッチ１０４のそれぞれと電気的に接続される。これにより、光源モジュール１０３の作動に必要な電気エネルギーを供給する。
【００１２】
図３及び図４に示すように、実施の時、まず、電源スイッチ１０４をトリガーする（押す）ことにより、第１蓄電モジュール１０６と光源制御スイッチ１０５がオンになる。そして、光源制御スイッチ１０５で光源モジュール１０３及び別の光源モジュール１０３‘の作動を制御する。それらの作動状態は、例えば以下のようである。；
光源制御スイッチ１０５を一回トリガーした場合：光源モジュール１０３がオンにされ、別の光源モジュール１０３‘がオフのままである。
光源制御スイッチ１０５を二回トリガーした場合：二つの光源モジュール（１０３、１０３‘）がともにオンになる。
光源制御スイッチ１０５を三回トリガーした場合：光源モジュール１０３がオフにされ、別の光源モジュール１０３‘がオンのままである。
光源制御スイッチ１０５を四回トリガーした場合：二つの光源モジュール（１０３、１０３‘）がともにオフになる。
ただし、前記の各光源モジュール（１０３、１０３‘）の切替シーケンスはこれらに限定されない。
【００１３】
図４に参照し、光源モジュール１０３（または１０３’）がオンになった時に、光波長３８０ｎｍ〜４５０ｎｍの検査光L1を生成する。光源モジュール１０３の照射範囲は広いため、あらゆる歯が検査光L1の照射を受ける。検査光L1が一つの正常歯T1の表面に照射されると、その正常歯T1の表面に光波長４３０ｎｍ〜５２０ｎｍの第１反射光Ｌ２を反射する。一方、検査光L1は一つの虫歯T２を照射すると、虫歯T1の表面に５２０ｎｍ〜７００ｎｍの第２反射光Ｌ３を反射する。この場合、フィルタ１０２は検査光L1をフィルタリングすることにより、人間の目はフィルタ１０２を通して、口の中の虫歯の生成する状態を直接肉眼視力で観察する。
【００１４】
図５に参照し、歯検査装置１０は、第１蓄電モジュール１０６を備えてあり、第１蓄電モジュール１０６が各光源モジュール（１０３、１０３‘）に電力を供給する。第１蓄電モジュール１０６内部の電気エネルギーがなくなった時、使用者が第１蓄電モジュール１０６を交換することが可能であるか、あるいは第１蓄電モジュール１０６に対して無線充電を行うことも可能である。図に示すように、操作本体１０１の第１収納空間１０１３に、充電制御ユニット１０７１と受信コイル１０７２とからなる第１無線充電モジュール１０７を設けてある。その中に、充電制御ユニット１０７１は、受信コイル１０７２と第１蓄電モジュール１０６のそれぞれと電気的に接続される。また、充電制御ユニット１０７１は、電圧ブーストと電圧安定化の機能を備えてある。また受信コイル１０７２は、電磁波と磁気誘導することにより、電気エネルギーを発生する。
【００１５】
また、歯検査装置１０は、無線充電ドック１０８を備えてあり、操作本体１０１がこの無線充電ドック１０８の上に置かれる時、第１蓄電モジュール１０６に対して無線充電を行なえる。無線充電ドック１０８は、位置決め部１０８１を具備してある。無線充電ドック１０８の一端部に電気接続部１０８２を備えてあり、別の一端部に第２収納空間１０８３を有している。第２蓄電モジュール１０８４及び第２無線充電モジュール１０９がこの第２収納空間１０８３に組み込まれる。電気接続部１０８２は、第２蓄電モジュール１０８４に電気的に接続され、例えば、電気接続部１０８２はＵＳＢのようなものである。
【００１６】
また、第２蓄電モジュール１０８４は第２無線充電モジュール１０９へと電気的に接続されることにより、電力供給設備から提供する電気エネルギーを貯蓄することができるし、第２無線充電モジュール１０９に対して電力を供給することもできる。また、第２無線充電モジュール１０９は、電力供給制御ユニット１０９１と、発射コイル１０９２とからなる。その中に、電力供給制御ユニット１０９１は第２蓄電モジュール１０８４及び発射コイル１０９２のそれぞれと電気的に接続されることで、発射コイル１０９２に出力する電圧を調整することができる。
【００１７】
図６及び図５に参照すれば、歯検査装置１０は、無線充電を行う時、操作本体１０１の開口部の他の側部が、無線充電ドック１０８の位置決め部１０８１に対応し、また操作本体１０１の受信コイル１０７２が無線充電ドック１０８の発射コイル１０９２に対応してから、位置決め部１０８１が、操作本体１０１を無線充電ドック１０８の上方に位置付けるように、開口部の他の側部と組み合わせる。
【００１８】
図７を参照して、発射コイル１０９２は、電流を通電してから、電磁波Ｗを発生し、また、この電磁波Ｗが受信コイル１０７２に発射する。受信コイル１０７２はこの電磁波Ｗを受信すると、電磁波Ｗと励磁効果を生成し、さらに電気エネルギーを発生する。充電制御ユニット１０７１は、受信コイル１０７２から発生した電気エネルギーを受信してから、電気エネルギーの電気的な調整を行う。その電気的な調整が終わってから、充電制御ユニット１０７１は、その電気エネルギーを第１蓄電モジュール１０６に貯蓄する。それで、第１蓄電モジュール１０６の無線充電作業を終了する。図８に示すように、操作本体１０１が無線充電を完了したら、操作本体１０１の受信コイル１０７２を逆転して無線充電ドック１０８に置くことにより、無線充電を中止する。
【００１９】
前述から分かるように、本考案の歯検査装置は、主に操作本体と、フィルタと、光源モジュールと、光源制御スイッチとからなる。実施の時、使用者は手で操作本体を握って、患者の口に対応させて、それから、光源制御スイッチで各光源ユニットの作動を制御する。また、フィルタを操作本体に設置し、使用者が口の外からフィルタを通して口の中の虫歯の生成する状態を直接肉眼視力で観察することができる。また、操作本体は、第１無線充電モジュールを具備してあり、操作本体が無線充電ドックの第２無線充電モジュールとの対応が出来上がった時、無線充電ドックがすぐに操作本体に対して無線充電を行う。無線充電が完了したら、操作本体を逆転することにより、操作本体で無線充電を中止する。よって、本考案は先立つことに基づいて実施することにより、操作が簡単で、且つ虫歯や歯垢状態が同時に大面積で検出可能になることできる歯検査装置の提供を確実に実現される。
【００２０】
但し、前記の内容は本考案の好ましい実施態様であり、本考案の実施範囲を制限するものはない。当考案の主旨と範囲を逸脱しないで、この技術分野に精通する者によって行われた変更及び修正は全て当考案の特許範囲内に覆うべきである。
【産業上の利用可能性】
【００２１】
本考案によれば、使用者は手で操作本体を握って、患者の口に対応させ、そして、光源制御スイッチで各光源ユニットの作動を制御する。また、フィルタを操作本体に設置し、使用者が口の外からフィルタを通して口の中の虫歯の生成する状態を直接肉眼視力で観察することができる。それとともに、フィルタを操作本体に設置し、使用者が口の外からフィルタを通して口の中の虫歯の生成する状態を直接肉眼視力で観察することもできるので、操作が簡単で且つ虫歯や歯垢状態が同時に大面積で検出可能になることできる歯検査装置の提供が確実に実現される。
【符号の説明】
【００２２】
１０          歯検査装置
１０１        操作本体
１０１１      開口部
１０１２      出光部
１０１３      第１収納空間
１０２        フィルタ
１０３        光源モジュール
１０３‘      光源モジュール
１０４        電源スイッチ
１０５        光源制御スイッチ            
１０６        第１蓄電モジュール
１０７        第１無線充電モジュール
１０７１      充電制御ユニット
１０７２      受信コイル
１０８        無線充電ドック
１０８１      位置決め部
１０８２      電気接続部
１０８３      第２収納空間
１０８４      第２蓄電モジュール
１０９        第２無線充電モジュール
１０９１      電力供給制御ユニット
１０９２      発射コイル
L1            検査光
L2            第１反射光
L3            第２反射光
T1            正常歯
T2            虫歯
W            電磁波
【図１】
0003200961.tif 000003
【図２】
0003200961.tif 000004
【図３】
0003200961.tif 000005
【図４】
0003200961.tif 000006
【図５】
0003200961.tif 000007
【図６】
0003200961.tif 000008
【図７】
0003200961.tif 000009
【図８】
0003200961.tif 000010